(57)【特許請求の範囲】
【請求項１】
２つの系統の受信アンテナで受けた信号の受信を行う２つの系統の受信回路と、
各系統の前記受信回路にて受信された信号の受信レベルをそれぞれ検出する２つの系統のレベル検出回路と、
各系統の前記受信回路にて受信された信号をそれぞれ復調する２つの系統の復調回路と、
受信ビットエラーレートが劣化するようなレベルを閾値とし、各系統の前記レベル検出回路にて検出された受信レベルとその閾値を比較する２つの系統の閾値比較回路と、
前記レベル検出回路によって検出された、各系統の受信レベルの大小比較を行う比較回路と、
各系統の前記閾値比較回路による比較の結果と、前記比較回路による比較結果より、どの系統を選択するかを決定して判定値を生成する選択判定回路と、
前記選択判定回路の生成した判定値に基づいて、各系統の前記受信回路にて受信された信号の各系統毎の重み付け係数を生成する重み付け係数生成回路と、
前記重み付け係数回路にて生成された各重み付け係数と、各系統の前記復調回路にて生成された復調信号との乗算および加算を行う乗算合成回路と備え、
前記選択判定回路が、前記閾値比較回路の比較結果と、前記比較回路による比較結果に応じて、受信レベルが小さいほうからの閾値α、βに対し、
２つの系統の受信レベルがともにαより小さい領域にある場合には、受信レベルが大きい方の系統を“１”、小さい方の系統を“０”と、
２つの系統の受信レベルがともにα以上β以下の領域にある場合には、受信レベルが大きい方を“１”、小さい方の系統を“０”と、
２つの系統の受信レベルがともにβより大きい領域にある場合には、受信レベルが小さい方系統を“１”、大きい方の系統を“０”と、
一方の受信レベルがαより小さい領域、若しくはβより大きい領域にあり、他方の受信レベルがα以上β以下の領域にある場合には、他方の系統を“１”、一方の系統を“０”と、
一方の受信レベルがαより小さい領域にあり、他方の受信レベルがβより大きい領域にある場合、他方の系統を“１”、一方の系統を“０”と、それぞれの場合の判定値を生成するものであり、
前記重み付け係数生成回路が、前記選択判定回路の生成した２値の判定値を平均することによって各系統の重み付け係数を生成することを特徴とする合成ダイバーシチ受信装置。
た合成ダイバーシチ受信装置。
【請求項２】
２つの系統の受信アンテナで受けた信号の受信を行う２つの系統の受信回路と、
各系統の前記受信回路にて受信された信号の受信レベルをそれぞれ検出する２つの系統のレベル検出回路と、
各系統の前記受信回路にて受信された信号をそれぞれ復調する２つの系統の復調回路と、
受信ビットエラーレートが劣化するようなレベルを閾値とし、各系統の前記レベル検出回路にて検出された受信レベルとその閾値を比較する２つの系統の閾値比較回路と、
前記レベル検出回路によって検出された、各系統の受信レベルの大小比較を行う比較回路と、
各系統の前記閾値比較回路による比較の結果と、前記比較回路による比較結果より、どの系統を選択するかを決定して判定値を生成する選択判定回路と、
前記選択判定回路の生成した判定値に基づいて、各系統の前記受信回路にて受信された信号の各系統毎の重み付け係数を生成する重み付け係数生成回路と、
前記重み付け係数回路にて生成された各重み付け係数と、各系統の前記復調回路にて生成された復調信号との乗算および加算を行う乗算合成回路と備え、
前記選択判定回路が、前記閾値比較回路の比較結果と、前記比較回路による比較結果に応じて、受信レベルが小さいほうからの閾値α、βに対し、
２つの系統の受信レベルがともにαより小さい領域にある場合には、受信レベルが大きい方の系統を“１”、小さい方の系統を“０”と、
２つの系統の受信レベルがともにα以上β以下の領域にある場合には、受信レベルが大きい方を“１”、小さい方の系統を“０”と、
２つの系統の受信レベルがともにβより大きい領域にある場合には、受信レベルが小さい方系統を“１”、大きい方の系統を“０”と、
一方の受信レベルがαより小さい領域、若しくはβより大きい領域にあり、他方の受信レベルがα以上β以下の領域にある場合には、他方の系統を“１”、一方の系統を“０”と、
一方の受信レベルがαより小さい領域にあり、他方の受信レベルがβより大きい領域にある場合、他方の系統を“１”、一方の系統を“０”と、それぞれの場合の判定値を生成するものであり、
各系統の受信回路にて受信された信号の受信レベルの差を検出し、その受信レベル差がある一定レベルより大きいか否かを判定するレベル差判定回路を設け、
前記選択判定回路が、前記レベル差判定回路の判定結果が一定値以上であった場合、前記判定値を２倍とし、一定値未満であった場合、前記判定値をそのままの値とする３値の判定値を生成するものであり、
重み付け係数生成回路が、前記選択判定回路の生成した３値の判定値を平均することによって各系統の重み付け係数を生成することを特徴とする合成ダイバーシチ受信装置。
【請求項３】
２つの系統の受信アンテナで受けた信号の受信を行う２つの系統の受信回路と、
各系統の前記受信回路にて受信された信号の受信レベルをそれぞれ検出する２つの系統のレベル検出回路と、
各系統の前記受信回路にて受信された信号をそれぞれ復調する２つの系統の復調回路と、
受信ビットエラーレートが劣化するようなレベルを閾値とし、各系統の前記レベル検出回路にて検出された受信レベルとその閾値を比較する２つの系統の閾値比較回路と、
前記レベル検出回路によって検出された、各系統の受信レベルの大小比較を行う比較回路と、
各系統の前記閾値比較回路による比較の結果と、前記比較回路による比較結果より、どの系統を選択するかを決定して判定値を生成する選択判定回路と、
前記選択判定回路の生成した判定値に基づいて、各系統の前記受信回路にて受信された信号の各系統毎の重み付け係数を生成する重み付け係数生成回路と、
前記重み付け係数回路にて生成された各重み付け係数と、各系統の前記復調回路にて生成された復調信号との乗算および加算を行う乗算合成回路と備え、
前記選択判定回路が、前記閾値比較回路の比較結果と、前記比較回路による比較結果に応じて、受信レベルが小さいほうからの閾値α、βに対し、
２つの系統の受信レベルがともにαより小さい領域にある場合には、受信レベルが大きい方の系統を“１”、小さい方の系統を“０”と、
２つの系統の受信レベルがともにα以上β以下の領域にある場合には、受信レベルが大きい方を“１”、小さい方の系統を“０”と、
２つの系統の受信レベルがともにβより大きい領域にある場合には、受信レベルが小さい方系統を“１”、大きい方の系統を“０”と、
一方の受信レベルがαより小さい領域、若しくはβより大きい領域にあり、他方の受信レベルがα以上β以下の領域にある場合には、他方の系統を“２”、一方の系統を“０”と、
一方の受信レベルがαより小さい領域にあり、他方の受信レベルがβより大きい領域にある場合、他方の系統を“１”、一方の系統を“０”と、それぞれの場合の判定値を生成するものであり、
重み付け係数生成回路が、前記選択判定回路の生成した３値の判定値を平均することによって各系統の重み付け係数を生成することを特徴とする合成ダイバーシチ受信装置。
【発明の詳細な説明】
【０００１】
【発明の属する技術分野】
この発明は、無線通信にてデジタル変調された信号を受信するための合成ダイバーシチ受信装置に関するものである。
【０００２】
【従来の技術】
無線通信等において、合成ダイバーシチ受信装置は、フェージングによる受信性能の劣化を防ぐために有効な装置として広く使用されている。以下に従来の合成ダイバーシチ受信装置について説明する。
【０００３】
図５は従来の合成ダイバーシチ受信装置の一例を示すブロック図である。図において、１ａ、１ｂは＃１系統あるいは＃２系統の受信アンテナ、２ａ、２ｂは各系統のアンテナ１ａ、１ｂで受けた信号の受信を行う受信回路、３ａ、３ｂは各系統の受信回路で受信された受信信号の受信レベルを検出するレベル検出回路、４は各系統のレベル検出回路３ａ、３ｂにて検出された受信レベルを比較して重み付け係数を生成する比較判定回路、５ａ、５ｂは各系統の受信回路２ａ、２ｂで受信された信号をデジタル復調する復調回路、６ａ、６ｂは各系統の復調回路５ａ、５ｂにて復調された復調信号に、比較判定回路４にて生成された重み付け係数を乗算する乗算器、７は各系統の乗算器６ａ、６ｂにて乗算された信号を加算する加算器である。
【０００４】
次に動作について説明する。
各系統の受信アンテナ１ａ、１ｂにて受信された信号は、それぞれの系統の受信回路２ａ、２ｂに送られて受信される。レベル検出回路３ａ、３ｂはこれら各系統の受信回路２ａ、２ｂで受信された信号の受信レベルを検出する。比較判定回路４は、各系統のレベル検出回路３ａ、３ｂで検出された受信レベルの差の大小を一定サンプル加算して平均することにより、各系統毎の重み付け係数を生成する。なお、これら各系統の重み付け係数を加算すると１になる。一方、各系統の復調回路５ａ、５ｂはそれぞれの系の受信回路２ａ、２ｂで受信されたデータをデジタル復調する。乗算器６ａ、６ｂは各系統毎にこの復調回路５ａ、５ｂで復調された復調信号に、比較判定回路４にて生成されたそれぞれの系統の重み付け係数を乗算する。加算器７はこれら各系統の乗算器６ａ、６ｂにて重み付け係数が乗算された信号を加算することにより、合成ダイバーシチにて重み付けされた受信データを生成する。
【０００５】
なお、受信された信号の受信レベルより重み付け係数を生成してダイバーシチ特性の改善を図った従来の合成ダイバーシチ受信装置としては、例えば、特開２０００−１１５０４３号公報、特開２０００−２２６１３号公報、特開平１０−２５６９６７号公報、特開平１０−４１８６７号公報、特開平１０−２９４６８８号公報、特開平９−１８３９９号公報、特開平１−７５２３５号公報などの文献にも、その記載がみられる。
【０００６】
【発明が解決しようとする課題】
従来の合成ダイバーシチ受信装置は以上のように構成されているので、重み付け係数は受信レベルの相対値のみを用いて生成されているため、受信電界が劣化するような大入力印加時には、ビットエラーレート（以下ＢＥＲという）が悪い系の方が重み付け係数が高くなってしまい、ダイバーシチ特性が劣化してしまうという課題があった。
【０００７】
この発明は上記のような課題を解決するためになされたもので、ＢＥＲが劣化するほど高い受信レベルが印加されたときには、重み付け係数を下げるような演算を行うことによって、ダイバーシチ特性の劣化が生じることのない合成ダイバーシチ受信装置を得ることを目的とする。
【０００８】
【課題を解決するための手段】
この発明に係る合成ダイバーシチ受信装置は、２つの系統の受信アンテナで受けた信号の受信を行う２つの系統の受信回路と、各系統の前記受信回路にて受信された信号の受信レベルをそれぞれ検出する２つの系統のレベル検出回路と、各系統の前記受信回路にて受信された信号をそれぞれ復調する２つの系統の復調回路と、受信ビットエラーレートが劣化するようなレベルを閾値とし、各系統の前記レベル検出回路にて検出された受信レベルとその閾値を比較する２つの系統の閾値比較回路と、前記レベル検出回路によって検出された、各系統の受信レベルの大小比較を行う比較回路と、各系統の前記閾値比較回路による比較の結果と、前記比較回路による比較結果より、どの系統を選択するかを決定して判定値を生成する選択判定回路と、前記選択判定回路の生成した判定値に基づいて、各系統の前記受信回路にて受信された信号の各系統毎の重み付け係数を生成する重み付け係数生成回路と、前記重み付け係数回路にて生成された各重み付け係数と、各系統の前記復調回路にて生成された復調信号との乗算および加算を行う乗算合成回路と備え、前記選択判定回路が、前記閾値比較回路の比較結果と、前記比較回路による比較結果に応じて、受信レベルが小さいほうからの閾値α、βに対し、２つの系統の受信レベルがともにαより小さい領域にある場合には、受信レベルが大きい方の系統を“１”、小さい方の系統を“０”と、２つの系統の受信レベルがともにα以上β以下の領域にある場合には、受信レベルが大きい方を“１”、小さい方の系統を“０”と、２つの系統の受信レベルがともにβより大きい領域にある場合には、受信レベルが小さい方系統を“１”、大きい方の系統を“０”と、一方の受信レベルがαより小さい領域、若しくはβより大きい領域にあり、他方の受信レベルがα以上β以下の領域にある場合には、他方の系統を“１”、一方の系統を“０”と、一方の受信レベルがαより小さい領域にあり、他方の受信レベルがβより大きい領域にある場合、他方の系統を“１”、一方の系統を“０”と、それぞれの場合の判定値を生成するものであり、前記重み付け係数生成回路が、前記選択判定回路の生成した２値の判定値を平均することによって各系統の重み付け係数を生成するものである。
【０００９】
この発明に係る合成ダイバーシチ受信装置は、２つの系統の受信アンテナで受けた信号の受信を行う２つの系統の受信回路と、各系統の前記受信回路にて受信された信号の受信レベルをそれぞれ検出する２つの系統のレベル検出回路と、各系統の前記受信回路にて受信された信号をそれぞれ復調する２つの系統の復調回路と、受信ビットエラーレートが劣化するようなレベルを閾値とし、各系統の前記レベル検出回路にて検出された受信レベルとその閾値を比較する２つの系統の閾値比較回路と、前記レベル検出回路によって検出された、各系統の受信レベルの大小比較を行う比較回路と、各系統の前記閾値比較回路による比較の結果と、前記比較回路による比較結果より、どの系統を選択するかを決定して判定値を生成する選択判定回路と、前記選択判定回路の生成した判定値に基づいて、各系統の前記受信回路にて受信された信号の各系統毎の重み付け係数を生成する重み付け係数生成回路と、前記重み付け係数回路にて生成された各重み付け係数と、各系統の前記復調回路にて生成された復調信号との乗算および加算を行う乗算合成回路と備え、前記選択判定回路が、前記閾値比較回路の比較結果と、前記比較回路による比較結果に応じて、受信レベルが小さいほうからの閾値α、βに対し、２つの系統の受信レベルがともにαより小さい領域にある場合には、受信レベルが大きい方の系統を“１”、小さい方の系統を“０”と、２つの系統の受信レベルがともにα以上β以下の領域にある場合には、受信レベルが大きい方を“１”、小さい方の系統を“０”と、２つの系統の受信レベルがともにβより大きい領域にある場合には、受信レベルが小さい方系統を“１”、大きい方の系統を“０”と、一方の受信レベルがαより小さい領域、若しくはβより大きい領域にあり、他方の受信レベルがα以上β以下の領域にある場合には、他方の系統を“１”、一方の系統を“０”と、一方の受信レベルがαより小さい領域にあり、他方の受信レベルがβより大きい領域にある場合、他方の系統を“１”、一方の系統を“０”と、それぞれの場合の判定値を生成するものであり、各系統の受信回路にて受信された信号の受信レベルの差を検出し、その受信レベル差がある一定レベルより大きいか否かを判定するレベル差判定回路を設け、前記選択判定回路が、前記レベル差判定回路の判定結果が一定値以上であった場合、前記判定値を２倍とし、一定値未満であった場合、前記判定値をそのままの値とする３値の判定値を生成するものであり、重み付け係数生成回路が、前記選択判定回路の生成した３値の判定値を平均することによって各系統の重み付け係数を生成するものである。
【００１０】
この発明に係る合成ダイバーシチ受信装置は、２つの系統の受信アンテナで受けた信号の受信を行う２つの系統の受信回路と、各系統の前記受信回路にて受信された信号の受信レベルをそれぞれ検出する２つの系統のレベル検出回路と、各系統の前記受信回路にて受信された信号をそれぞれ復調する２つの系統の復調回路と、受信ビットエラーレートが劣化するようなレベルを閾値とし、各系統の前記レベル検出回路にて検出された受信レベルとその閾値を比較する２つの系統の閾値比較回路と、前記レベル検出回路によって検出された、各系統の受信レベルの大小比較を行う比較回路と、各系統の前記閾値比較回路による比較の結果と、前記比較回路による比較結果より、どの系統を選択するかを決定して判定値を生成する選択判定回路と、前記選択判定回路の生成した判定値に基づいて、各系統の前記受信回路にて受信された信号の各系統毎の重み付け係数を生成する重み付け係数生成回路と、前記重み付け係数回路にて生成された各重み付け係数と、各系統の前記復調回路にて生成された復調信号との乗算および加算を行う乗算合成回路と備え、前記選択判定回路が、前記閾値比較回路の比較結果と、前記比較回路による比較結果に応じて、受信レベルが小さいほうからの閾値α、βに対し、２つの系統の受信レベルがともにαより小さい領域にある場合には、受信レベルが大きい方の系統を“１”、小さい方の系統を“０”と、２つの系統の受信レベルがともにα以上β以下の領域にある場合には、受信レベルが大きい方を“１”、小さい方の系統を“０”と、２つの系統の受信レベルがともにβより大きい領域にある場合には、受信レベルが小さい方系統を“１”、大きい方の系統を“０”と、一方の受信レベルがαより小さい領域、若しくはβより大きい領域にあり、他方の受信レベルがα以上β以下の領域にある場合には、他方の系統を“２”、一方の系統を“０”と、一方の受信レベルがαより小さい領域にあり、他方の受信レベルがβより大きい領域にある場合、他方の系統を“１”、一方の系統を“０”と、それぞれの場合の判定値を生成するものであり、重み付け係数生成回路が、前記選択判定回路の生成した３値の判定値を平均することによって各系統の重み付け係数を生成するものである。
【００１２】
【発明の実施の形態】
以下、この発明の実施の一形態を説明する。
実施の形態１．
図１はこの発明の実施の形態１による合成ダイバーシチ受信装置の構成を示すブロック図であり、ここでは、＃１系統、＃２系統の２系統による構成例を示している。図において、１ａ、１ｂは＃１系統もしくは＃２系統の受信アンテナである。２ａ、２ｂはこの＃１系統もしくは＃２系統の受信アンテナ１ａ、１ｂが受信した信号を受信するそれら各系統の受信回路である。３ａ、３ｂは＃１系統もしくは＃２系統の受信回路２ａ、２ｂで受信された受信信号の受信レベルを検出するそれら各系統のレベル検出回路である。５ａ、５ｂは＃１系統もしくは＃２系統の受信回路２ａ、２ｂで受信された受信信号の復調を行うそれら各系統の復調回路である。
【００１３】
８ａ、８ｂは＃１系統もしくは＃２系統のレベル検出回路３ａ、３ｂにて検出された各系統の受信レベルを、ＢＥＲが劣化するようなレベルの閾値と比較する＃１系統もしくは＃２系統の閾値比較回路である。９は＃１系統および＃２系統のレベル検出回路３ａ、３ｂによって検出された、＃１系統の受信レベルと＃２系統の受信レベルの大小比較を行う比較回路である。１０はこの比較回路９による比較結果と、各系統の閾値比較回路８ａ、８ｂでの比較結果から、どの系統を選択するかの判定を行い、その判定結果に基づいて２値の判定値を生成する、選択判定回路としての２値軟判定回路である。１１はこの２値軟判定回路１０にて生成された判定値を移動平均し、各系統の重み付け乗数を生成する重み付け係数生成回路である。
【００１４】
６ａ、６ｂは＃１系統もしくは＃２系統の復調回路５ａ、５ｂによって復調された復号信号に、重み付け係数生成回路１１の生成した、対応する系統の重み付け係数を乗算する乗算合成回路を形成している、各系統の乗算器である。７はこの＃１系統の乗算器６ａにおける乗算結果と、＃２系統の乗算器６ｂにおける乗算結果とを加算し、ダイバーシチ後の受信データを合成ダイバーシチ出力として出力する、乗算合成回路を形成している加算器である。
【００１５】
次に動作について説明する。
＃１系統の受信アンテナ１ａで受信されたデータは＃１系統の受信回路２ａにおいて、＃２系統の受信アンテナ１ｂで受信されたデータは＃２系統の受信回路２ｂにおいてそれぞれ受信される。＃１系統のレベル検出回路３ａではこの＃１系統の受信回路２ａが受信した受信信号の受信レベルをリアルタイムに検出し、＃２系統のレベル検出回路３ｂでは＃２系統の受信回路２ｂが受信した受信信号の受信レベルをリアルタイムに検出する。＃１系統のレベル検出回路３ａで検出された＃１系統の受信信号の受信レベルは、＃１系統の閾値比較回路８ａに送られて閾値と比較され、その比較結果に応じて場合分けされる。一方、＃２系統のレベル検出回路３ｂで検出された＃２系統の受信信号の受信レベルも同様に、＃２系統の閾値比較回路８ｂに送られて閾値と比較され、その比較結果に応じて場合分けされる。
【００１６】
ここで、図２はこの発明における閾値比較回路８ａ、８ｂの比較動作と、選択判定回路（この実施の形態１では２値軟判定回路１０、実施の形態２、実施の形態３では３値軟判定回路１３あるいは３値軟判定回路１５）の判定動作を説明するための図である。
【００１７】
まず、図２に示すように、ＢＥＲが劣化する２つのポイントを閾値（受信レベルが小さいほうからα、β）とし、各系統の閾値比較回路８ａ、８ｂではそれぞれの系統のレベル検出回路３ａ、３ｂが検出した受信レベルとそれらの閾値とを比較して、その比較結果による場合分けを行う。すなわち、受信レベルがαより小さい領域にあるか、α以上β以下の領域にあるか、βより大きい領域にあるか、の３通りに場合分けする。そのとき同時に、比較回路９にてレベル検出回路３ａが検出した＃１系統の受信レベルとレベル検出回路３ｂが検出した＃２系統の受信レベルとの大小を比較し、この比較回路９での比較結果を、各系統の閾値比較回路８ａ、８ｂによって判定された場合分けの結果とともに２値軟判定回路１０に出力する。
【００１８】
また、２値軟判定回路１０ではこれら各系統の閾値比較回路８ａ、８ｂによる場合分けの結果と、比較回路９による比較結果とを用いて、どの系統を選択するかを決定する。すなわち、２値軟判定回路１０は図２に示すテーブルを用いて、ＢＥＲが低くなる系を選択する。なお、この図２のテーブルでは、検出された受信レベルが小さい系統をＲ１、受信レベルが大きい系統をＲ２とし、選択されて判定値が“１”となった系統を○囲みによって表している。
【００１９】
以下、この２値軟判定回路１０の動作を、図２を参照しながら具体的に説明する。Ｒ１およびＲ２の受信レベルがともにαより小さい領域にある場合には、受信レベルが大きい方がＢＥＲは低いので、２値軟判定回路１０では、Ｒ２の系統を“１”、Ｒ１の系統を“０”とする判定値を生成して出力する。Ｒ１およびＲ２の受信レベルがともにα以上β以下の領域にある場合には、受信レベルが大きい方がＢＥＲは低いので、２値軟判定回路１０では、Ｒ２の系統を“１”、Ｒ１の系統を“０”とする判定値を生成して出力する。Ｒ１およびＲ２の受信レベルがともにβより大きい領域にある場合には、受信レベルが小さい方がＢＥＲは低いので、２値軟判定回路１０では、Ｒ１の系統を“１”、Ｒ２の系統を“０”とする判定値を生成して出力する。
【００２０】
Ｒ１の受信レベルがαより小さい領域にあり、Ｒ２の受信レベルがα以上β以下の領域にある場合には、フロア領域（α以上β以下の領域）の方がＢＥＲは低いので、２値軟判定回路１０では、Ｒ２の系統を“１”、Ｒ１の系統を“０”とする判定値を生成して出力する。Ｒ１の受信レベルがα以上β以下の領域にあり、Ｒ２の受信レベルがβより大きい領域にある場合には、フロア領域の方がＢＥＲは低いので、２値軟判定回路１０では、Ｒ２の系統を“０”、Ｒ１の系統を“１”とする判定値を生成して出力する。Ｒ１の受信レベルがαより小さい領域にあり、Ｒ２の受信レベルがβより大きい領域にある場合、どちらのＢＥＲが低いか判断できないが、βより大きいＲ２の系統の方がＢＥＲの劣化する傾きが小さいため、ＢＥＲが低い確率がＲ１の系統より高いものと判断して、２値軟判定回路１０で、Ｒ２の系統を“１”、Ｒ１の系統を“０”とする判定値を生成して出力する。
【００２１】
このようにして２値軟判定回路１０がどの系統を選択するかを決定して生成した判定値は重み付け係数生成回路１１に入力される。重み付け係数生成回路１１ではこの入力された２値の判定値を一定サンプル数、それぞれの系統において加算し、移動平均することにより、＃１系統および＃２系統の重み付け係数を生成する。この重み付け係数生成回路１１によって生成された＃１系統の重み付け係数は＃１系統の乗算器６ａに入力され、＃２系統の重み付け係数は＃２系統の乗算器６ｂに入力される。＃１系統の乗算器６ａは＃１系統の復調回路５ａにて復調されたデータにその＃１系統の重み付け係数を乗算し、＃２系統の乗算器６ｂは＃２系統の復調回路５ｂにて復調されたデータに＃２系統の重み付け係数を乗算する。これら各系統の乗算器６ａ、６ｂによる乗算結果は加算器７に入力されて加算される。これにより、加算器７からは合成ダイバーシチ出力としてのダイバーシチ後受信データが得られる。
【００２２】
以上のように、この実施の形態１によれば、受信レベル検出回路３ａ、３ｂで検出した各系統の受信信号の受信レベルを閾値と比較し、閾値比較回路８ａ、８ｂによるその比較結果より、どの系統を選択するかを２値軟判定回路１０で決定して２値の判定値を生成し、この２値の判定値より係数生成回路１１にて各受信信号の重み付け係数を生成し、乗算器６ａ、６ｂ、および加算器７でその重み付け係数と復調信号より合成ダイバーシチ出力を求めるようにしているので、受信電界が劣化するような大入力が印加されてＢＥＲ性能が劣化し、受信レベルが高すぎてＢＥＲが悪い方の系統における重み付け係数が大きくなるような場合に、その重み付け係数を小さくすることが可能となるため、強電界時のＢＥＲ特性が向上して、性能劣化のない合成ダイバーシチ受信装置を実現することができるという効果が得られる。
【００２３】
実施の形態２．
図３はこの発明の実施の形態２による合成ダイバーシチ受信装置の構成を示すブロック図であり、実施の形態１の各部と同等の部分には図１と同一符号を付してその説明を省略する。なお、ここでも＃１系統、＃２系統の２系統による構成例を示している。
【００２４】
図において、１２は＃１系統のレベル検出回路３ａにて検出された受信レベルと、＃２系統のレベル検出回路３ｂにて検出された受信レベルとの差を検出し、その受信レベル差がある一定レベルより大きいか否かを判定するレベル差判定回路である。１３はこのレベル差判定回路１２による判定結果、各系統の閾値比較回路８ａ、８ｂによる閾値との比較結果、および比較回路９による大小比較の結果に応じて３値の判定値を生成する、選択判定回路としての３値軟判定回路である。１４はこの３値軟判定回路１３が生成した３値の判定値を平均することによって、＃１系統および＃２系統の重み付け係数を生成する重み付け係数生成回路である。
【００２５】
次に動作について説明する。
ここで、この実施の形態２による合成ダイバーシチ受信装置は、発明の実施の形態１のように受信レベルの比較を大小２値の比較ではなく、受信レベル差のパラメータを加えた３値にて選択している点で異なっている。なお、基本的な動作は、この場合も実施の形態１の場合と同様であるため、それについての説明は省略し、それとは異なるレベル差判定回路１２、３値軟判定回路１３、重み付け係数生成回路１４の動作を中心に説明する。
【００２６】
＃１系統のレベル検出回路３ａで検出された受信レベル、および＃２系統のレベル検出回路３ｂで検出された受信レベルは、閾値比較回路８ａ、８ｂ、比較回路９とともに、レベル差判定回路１２にも入力される。レベル差判定回路１２では、これら＃１系統と＃２系統の受信レベルの差を検出し、その受信レベル差がある一定レベルより大きいか否かを判定する。すなわち、レベル差判定回路１２は受信レベルＤというパラメータを用い、各系統の受信レベルの差がこのパラメータＤ以上か、Ｄ以下かを判定する。
【００２７】
このレベル差判定回路１２による判定結果は、各系統の閾値比較回路８ａ、８ｂによる閾値との比較結果、および比較回路９による大小比較の結果とともに３値軟判定回路１３に入力される。３値軟判定回路１３ではレベル差判定回路１２による判定によって、＃１系統と＃２系統の受信レベルの差が、上記パラメータＤ以上であった場合には、この３値軟判定回路１３で選択された系統の判定値を“２”とし、Ｄ以下であった場合には、この３値軟判定回路１３で選択された系統の判定値を“１”とする。また、この３値軟判定回路１３で選択されなかった系統については、実施の形態１の場合と同様に、その判定値を“０”とする。３値軟判定回路１３はこのような３値の判定値を生成し、それを重み付け係数生成回路１４に出力する。
【００２８】
重み付け係数生成回路１４はこの３値の判定値が入力されると、その判定値をそれぞれの系統において移動平均することにより、＃１系統および＃２系統の重み付け係数を生成する。この重み付け係数生成回路１４によって生成された＃１系統の重み付け係数は＃１系統の乗算器６ａに、＃２系統の重み付け係数は＃２系統の乗算器６ｂにそれぞれ入力される。
【００２９】
以上のように、この実施の形態２によれば、レベル差判定回路１２によって各系統の受信回路２ａ、２ｂにおける受信信号の受信レベル差がある一定レベルより大きいか否かを判定し、このレベル差判定回路１２および各系統の閾値比較回路８ａ、８ｂの比較結果に応じて、３値軟判定回路１３で３値の判定値を生成し、この３値の判定値を重み付け係数生成回路１４で平均することによって各系統の重み付け係数を生成しているので、受信レベルの重み付け係数が、大小２値の比較でなく、受信レベル差のパラメータを加えた３値に基づいて生成されるため、受信レベルの差がある一定レベルより大きい場合に、重み付け係数の差を大きくすることができ、ＢＥＲの改善が図れて、受信レベル差がある場合のダイバーシチ効果を向上させることができるという効果が得られる。
【００３０】
実施の形態３．
図４はこの発明の実施の形態３による合成ダイバーシチ受信装置の構成を示すブロック図であり、実施の形態２の各部と同等の部分には図３と同一符号を付してその説明を省略する。なお、ここでも＃１系統、＃２系統の２系統による構成例を示している。図において、１５は各系統の閾値比較回路８ａ、８ｂによる閾値との比較結果と、比較回路９による大小比較の結果とに応じて判定値を生成する際に、各系統のレベル検出回路３ａ、３ｂで検出した受信レベルの領域によるＢＥＲの差の大小により３値の判定値を生成する、選択判定回路としての３値軟判定回路である。
【００３１】
次に動作について説明する。
この場合も基本的な動作は実施の形態１の場合と同様であるため、それについての説明は省略し、それとは異なった３値軟判定回路１５についての動作を中心に説明する。
【００３２】
３値軟判定回路１５では、各系統の閾値比較回路８ａ、８ｂによる場合分けの結果と、比較回路９による大小比較の結果より、どの系統を選択するか決定する。すなわち、実施の形態１の場合と同様に、Ｒ１およびＲ２の受信レベルがともにαより小さい領域にある場合には、Ｒ２の系統を“１”、Ｒ１の系統を“０”とする判定値を生成して出力する。Ｒ１およびＲ２の受信レベルがともにα以上β以下の領域にある場合には、Ｒ２の系統を“１”、Ｒ１の系統を“０”とする判定値を生成して出力する。Ｒ１およびＲ２の受信レベルがともにβより大きい領域にある場合には、Ｒ１の系統を“１”、Ｒ２の系統を“０”とする判定値を生成して出力する。
【００３３】
Ｒ１の受信レベルがαより小さい領域にあり、Ｒ２の受信レベルがα以上β以下の領域にある場合には、各系統でのＢＥＲの差が大きいと判断して、３値軟判定回路１５では、選択されたＲ２の系統を“２”、Ｒ１の系統を“０”とする判定値を生成して出力する。Ｒ１の受信レベルがα以上β以下の領域にあり、Ｒ２の受信レベルがβより大きい領域にある場合にも同様に、各系統でのＢＥＲの差が大きいと判断して、３値軟判定回路１５では、Ｒ２の系統を“０”、選択されたＲ１の系統を“２”とする判定値を生成して出力する。Ｒ１の受信レベルがαより小さい領域にあり、Ｒ２の受信レベルがβより大きい領域にある場合には、実施の形態１の場合と同様に、Ｒ２の系統を“１”、Ｒ１の系統を“０”とする判定値を生成して出力する。
【００３４】
このようにして、３値軟判定回路１５がどの系統を選択するかを決定して生成した３値の判定値は重み付け係数生成回路１４に入力される。重み付け係数生成回路１４は、この入力された３値の判定値をそれぞれの系統において移動平均することにより、＃１系統および＃２系統の重み付け係数を生成する。
【００３５】
以上のように、この実施の形態３によれば、３値軟判定回路１５によって受信レベルの領域によるＢＥＲの差に応じた３値の判定値を生成し、この３値の判定値を重み付け係数生成回路１４で平均することによって各系統の重み付け係数を生成しているので、受信レベルの重み付け係数が、ＢＥＲの高低の差による３値に基づいて生成されるため、ＢＥＲの改善が図れて、ＢＥＲに差がある場合のダイバーシチ効果を向上させることができるという効果が得られる。
【００３７】
【発明の効果】
以上のように、この発明によれば、２つの系統の受信アンテナで受けた信号の受信を行う２つの系統の受信回路と、各系統の前記受信回路にて受信された信号の受信レベルをそれぞれ検出する２つの系統のレベル検出回路と、各系統の前記受信回路にて受信された信号をそれぞれ復調する２つの系統の復調回路と、受信ビットエラーレートが劣化するようなレベルを閾値とし、各系統の前記レベル検出回路にて検出された受信レベルとその閾値を比較する２つの系統の閾値比較回路と、前記レベル検出回路によって検出された、各系統の受信レベルの大小比較を行う比較回路と、各系統の前記閾値比較回路による比較の結果と、前記比較回路による比較結果より、どの系統を選択するかを決定して判定値を生成する選択判定回路と、前記選択判定回路の生成した判定値に基づいて、各系統の前記受信回路にて受信された信号の各系統毎の重み付け係数を生成する重み付け係数生成回路と、前記重み付け係数回路にて生成された各重み付け係数と、各系統の前記復調回路にて生成された復調信号との乗算および加算を行う乗算合成回路と備え、前記選択判定回路が、前記閾値比較回路の比較結果と、前記比較回路による比較結果に応じて、受信レベルが小さいほうからの閾値α、βに対し、２つの系統の受信レベルがともにαより小さい領域にある場合には、受信レベルが大きい方の系統を“１”、小さい方の系統を“０”と、２つの系統の受信レベルがともにα以上β以下の領域にある場合には、受信レベルが大きい方を“１”、小さい方の系統を“０”と、２つの系統の受信レベルがともにβより大きい領域にある場合には、受信レベルが小さい方系統を“１”、大きい方の系統を“０”と、一方の受信レベルがαより小さい領域、若しくはβより大きい領域にあり、他方の受信レベルがα以上β以下の領域にある場合には、他方の系統を“１”、一方の系統を“０”と、一方の受信レベルがαより小さい領域にあり、他方の受信レベルがβより大きい領域にある場合、他方の系統を“１”、一方の系統を“０”と、それぞれの場合の判定値を生成するものであり、前記重み付け係数生成回路が、前記選択判定回路の生成した２値の判定値を平均することによって各系統の重み付け係数を生成するように構成したので、受信電界が劣化するような大入力が印加されてＢＥＲ性能が劣化し、受信レベルが高すぎてＢＥＲが悪い方の系統における重み付け係数が大きくなるような場合に、その重み付け係数を小さくすることが可能となり、強電界時のＢＥＲ特性が向上して、合成ダイバーシチ受信装置の性能劣化を抑止することができるという効果がある。
【００３８】
この発明によれば、２つの系統の受信アンテナで受けた信号の受信を行う２つの系統の受信回路と、各系統の前記受信回路にて受信された信号の受信レベルをそれぞれ検出する２つの系統のレベル検出回路と、各系統の前記受信回路にて受信された信号をそれぞれ復調する２つの系統の復調回路と、受信ビットエラーレートが劣化するようなレベルを閾値とし、各系統の前記レベル検出回路にて検出された受信レベルとその閾値を比較する２つの系統の閾値比較回路と、前記レベル検出回路によって検出された、各系統の受信レベルの大小比較を行う比較回路と、各系統の前記閾値比較回路による比較の結果と、前記比較回路による比較結果より、どの系統を選択するかを決定して判定値を生成する選択判定回路と、前記選択判定回路の生成した判定値に基づいて、各系統の前記受信回路にて受信された信号の各系統毎の重み付け係数を生成する重み付け係数生成回路と、前記重み付け係数回路にて生成された各重み付け係数と、各系統の前記復調回路にて生成された復調信号との乗算および加算を行う乗算合成回路と備え、前記選択判定回路が、前記閾値比較回路の比較結果と、前記比較回路による比較結果に応じて、受信レベルが小さいほうからの閾値α、βに対し、２つの系統の受信レベルがともにαより小さい領域にある場合には、受信レベルが大きい方の系統を“１”、小さい方の系統を“０”と、２つの系統の受信レベルがともにα以上β以下の領域にある場合には、受信レベルが大きい方を“１”、小さい方の系統を“０”と、２つの系統の受信レベルがともにβより大きい領域にある場合には、受信レベルが小さい方系統を“１”、大きい方の系統を“０”と、一方の受信レベルがαより小さい領域、若しくはβより大きい領域にあり、他方の受信レベルがα以上β以下の領域にある場合には、他方の系統を“１”、一方の系統を“０”と、一方の受信レベルがαより小さい領域にあり、他方の受信レベルがβより大きい領域にある場合、他方の系統を“１”、一方の系統を“０”と、それぞれの場合の判定値を生成するものであり、各系統の受信回路にて受信された信号の受信レベルの差を検出し、その受信レベル差がある一定レベルより大きいか否かを判定するレベル差判定回路を設け、前記選択判定回路が、前記レベル差判定回路の判定結果が一定値以上であった場合、前記判定値を２倍とし、一定値未満であった場合、前記判定値をそのままの値とする３値の判定値を生成するものであり、重み付け係数生成回路が、前記選択判定回路の生成した３値の判定値を平均することによって各系統の重み付け係数を生成するように構成したので、受信レベルの重み付け係数が、大小２値の比較でなく、受信レベル差のパラメータを加えた３値に基づいて生成され、受信レベルの差がある一定レベルより大きい場合に、重み付け係数の差を大きくすることができ、ＢＥＲの改善が図れるため、受信レベル差がある場合のダイバーシチ効果を向上させることができるという効果がある。
【００３９】
この発明によれば、２つの系統の受信アンテナで受けた信号の受信を行う２つの系統の受信回路と、各系統の前記受信回路にて受信された信号の受信レベルをそれぞれ検出する２つの系統のレベル検出回路と、各系統の前記受信回路にて受信された信号をそれぞれ復調する２つの系統の復調回路と、受信ビットエラーレートが劣化するようなレベルを閾値とし、各系統の前記レベル検出回路にて検出された受信レベルとその閾値を比較する２つの系統の閾値比較回路と、前記レベル検出回路によって検出された、各系統の受信レベルの大小比較を行う比較回路と、各系統の前記閾値比較回路による比較の結果と、前記比較回路による比較結果より、どの系統を選択するかを決定して判定値を生成する選択判定回路と、前記選択判定回路の生成した判定値に基づいて、各系統の前記受信回路にて受信された信号の各系統毎の重み付け係数を生成する重み付け係数生成回路と、前記重み付け係数回路にて生成された各重み付け係数と、各系統の前記復調回路にて生成された復調信号との乗算および加算を行う乗算合成回路と備え、前記選択判定回路が、前記閾値比較回路の比較結果と、前記比較回路による比較結果に応じて、受信レベルが小さいほうからの閾値α、βに対し、２つの系統の受信レベルがともにαより小さい領域にある場合には、受信レベルが大きい方の系統を“１”、小さい方の系統を“０”と、２つの系統の受信レベルがともにα以上β以下の領域にある場合には、受信レベルが大きい方を“１”、小さい方の系統を“０”と、２つの系統の受信レベルがともにβより大きい領域にある場合には、受信レベルが小さい方系統を“１”、大きい方の系統を“０”と、一方の受信レベルがαより小さい領域、若しくはβより大きい領域にあり、他方の受信レベルがα以上β以下の領域にある場合には、他方の系統を“２”、一方の系統を“０”と、一方の受信レベルがαより小さい領域にあり、他方の受信レベルがβより大きい領域にある場合、他方の系統を“１”、一方の系統を“０”と、それぞれの場合の判定値を生成するものであり、重み付け係数生成回路が、前記選択判定回路の生成した３値の判定値を平均することによって各系統の重み付け係数を生成するように構成したので、ＢＥＲの高低の差による３値の判定値に基づいて、受信レベルの重み付け係数が生成されて、ＢＥＲの改善が図れるため、ＢＥＲに差がある場合のダイバーシチ効果を向上させることができるという効果がある。
【図面の簡単な説明】
【図１】  この発明の実施の形態１による合成ダイバーシチ受信装置の構成を示すブロック図である。
【図２】  この発明における閾値比較回路、軟判定回路の判定方法を説明するための説明図である。
【図３】  この発明の実施の形態２による合成ダイバーシチ受信装置の構成を示すブロック図である。
【図４】  この発明の実施の形態３による合成ダイバーシチ受信装置の構成を示すブロック図である。
【図５】  従来の合成ダイバーシチ受信装置の一例の構成を示すブロック図である。
【符号の説明】
１ａ、１ｂ  受信アンテナ、２ａ、２ｂ  受信回路、３ａ、３ｂ  レベル検出回路、５ａ、５ｂ  復調回路、６ａ、６ｂ  乗算器（乗算合成回路）、７  加算器（乗算合成回路）、８ａ、８ｂ  閾値比較回路、９  比較回路、１０  ２値軟判定回路（選択判定回路）、１１  重み付け係数生成回路、１２  レベル差判定回路、１３  ３値軟判定回路（選択判定回路）、１４  重み付け係数生成回路、１５  ３値軟判定回路（選択判定回路）。
【図１】
0003880805.tif 000002
【図２】
0003880805.tif 000003
【図３】
0003880805.tif 000004
【図４】
0003880805.tif 000005
【図５】
0003880805.tif 000006